(57)【要約】【課題】  手摺ベルトの表面に、この手摺ベルトの移動方向を長寿命状態で見易く表示し、もって転倒事故等を防止する一方、表示部を付加した構成としたエスカレーターを提供する。【解決手段】  手摺ベルト５の表面に方向表示マーク６Ａを手摺ベルト５の反転部の半円周範囲Ｈ内に少なくても１個存在する間隔Ｐａをもって、手摺ベルト５の全長に複数個設ける一方、欄干１１のデッキカバー１１ａの表面に表示部６Ｂを貼付けて設けた。【選択図】図４
2009078915.tif 000002
【特許請求の範囲】
【請求項１】
往路から復路にかけて反転して移動し、乗客を輸送する踏段と、この踏段と同期して往路から復路にかけて反転して移動する手摺ベルトと、この手摺ベルトを案内するために設けられ、内側板およびデッキカバーからなる欄干を備えたエスカレーターにおいて、前記手摺ベルト表面部への貼付けあるいは埋込みによって形成される方向表示マークを設けるとともに、前記デッキカバーには注意喚起や広告を表示した表示部を貼付けて設けたことを特徴とするエスカレーター。
【発明の詳細な説明】
【技術分野】
【０００１】  本発明は、移動する踏段が傾斜路あるいは水平路を形成して乗客輸送を行うエスカレーターの構成に関する。
【背景技術】
【０００２】  従来においてエスカレーターに広告、模様等の表示を行う構成は、たとえば特許文献１と文献２に開示されているように、既に提案されている。この特許文献１に記載のエスカレーターの手摺ベルトは、手摺ベルトの表面長手方向に広告のみを表示した長尺の印刷シールを貼付け、特許文献２に記載のものは模様体を埋め込んだ構成としたものである。【０００３】
【特許文献１】特開２００３−２１２４６８号公報
【特許文献２】特公平３−５３２３５号公報
【発明の開示】
【発明が解決しようとする課題】
【０００４】  上記特許文献１に記載のものは、それの出願時の特許請求の範囲の請求項１に「移動手摺の表面長手方向に広告物の印刷シールを貼付けた」とあるように広告媒体の提供を主眼としたものであって、この印刷シールによって乗客に対して転倒防止等の安全作用をもたらすという思想はなかった。【０００５】  上記特許文献２に記載のものは、手摺ベルトの表面に模様体を一体加硫する製法に関するものであって、この模様体によって乗客に対して転倒防止等の安全作用をもたらすという思想はなかった。【０００６】  一方、最近のエスカレーター利用においては、利用層の高齢化もあって、エスカレーターの乗り場で動く踏段に乗り移る際の体重移動のタイミングを失して転倒する事故が相次いでいる。これは、乗り移らんとして凝視する踏段の色が黒っぽく、踏段の動き（速度）、すなわち移動方向が認識できないことに起因している。また、エスカレーターの移動方向が認識できず、逆乗り込みをしてしまう事象もある。さらに、上記特許文献１に記載の広告印刷のものは、単に文字や図柄を付したものであるため、移動方向を訴求する機能がないに等しいという問題があった。また、上記特文献２に記載の模様付きフイルムではその板厚が薄いために摩滅しやすく恒久性に欠ける問題があった。【０００７】  本発明の目的は、手摺ベルトの表面にはこの手摺ベルトの移動方向を単独で見易く表示し、もって転倒事故等を防止する構成とする一方、それとは別体である表示部の欄干への貼付けによりその表示内容の変更が容易なエスカレーターを提供することにある。
【課題を解決するための手段】
【０００８】  本発明は上記目的を達成するために、往路から復路にかけて反転して移動し、乗客を輸送する踏段と同期して往路から復路にかけて反転して移動する手摺ベルトと、この手摺ベルトを案内するために設けられ、内側板およびデッキカバーからなる欄干とを備えたエスカレーターにおいて、前記手摺ベルト表面部への貼付けあるいは埋込みによって形成される方向表示マークを、前記反転部の半円周範囲に少なくても１個存在する間隔をもって設けるとともに、前記デッキカバーには注意喚起や広告を表示した表示部を貼付けて設けたのである。【０００９】  このように、特に手摺ベルト反転部の半円周範囲内に、それの移動方向を表示する方向表示マークが存在することにより、エスカレーターに乗り込まんとする利用者（乗客）がエスカレーターの移動速度と方向が視覚的に認知できて、結果として踏段への乗り込みタイミング取りが容易となる一方、逆乗り込み防止に役立つ構成を提供することができる。加えて、欄干のデッキカバーに表示部を貼付けて設ける構成としたことにより、表示内容の変更が容易となる利点がある。
【発明の効果】
【００１０】  本発明によれば、転倒事故の防止と逆乗り込みを防止する効果を有する一方、注意喚起等を行う表示部の表示内容を変更（選択）も容易で目的別に各々好適な構成を提供できる。
【発明を実施するための最良の形態】
【００１１】  以下、本発明によるエスカレーターの一実施の形態を図１〜図４に基づいて説明する。【００１２】  一般のエスカレーター１は、上階床２Ａと下階床２Ｂに装架される主フレーム３と、無端状に連結されて往路から復路にかけて反転して移動する多数の踏段４と、この踏段４と同期して往路から復路にかけて反転して移動するものでその断面形状が平坦部５Ａとこれに連なる両縁の半円部５Ｂとで略Ｃ字形をなす全体幅Ｗ１の手摺ベルト５と、この手摺ベルト５を案内する欄干１１とこれを構成するデッキカバー１１ａと内側板１１ｂを備えている。そして、一例として手摺ベルト５の表面には平坦部５Ａと半円部５Ｂにかけて貼付けられ、手摺ベルト５の全長に延びる長尺シート６が設けられており、この長尺シート６の表面部には手摺ベルト５の運転状態においてそれの方向を表示する方向表示マーク６Ａが印刷によって施されている。さらに、欄干１１を構成するデッキカバー１１ａの表面には「踏段の中央に乗ること」などの注意喚起案内文や広告を表示する表示部６Ｂが貼付けにより設けられている。【００１３】  前記手摺ベルト５は、駆動歯車７の動力をチェーン８を介して駆動ローラ９等に伝達された動力によって摩擦駆動されるもので復路を案内ローラ１０、往路を欄干１１の上縁で案内され反転部１１Ａ，１１Ｂで折り返して移動する構成となっている。【００１４】  さらに、前記方向表示マーク６Ａを、目安として手摺ベルト５の反転部の半円周範囲Ｈ（図１，図２）内に少なくても１個存在する間隔Ｐａ（図４）をおいて複数個配置して、いま乗り込まんとする利用者（乗客）がエスカレーター１を見ると真正面となる符号Ｈの範囲内に１個存在する方向表示マーク６Ａにより移動速度の速度感と動き方向を確実に視覚に訴えるという作用を発揮するものである。加えて、方向表示マーク６Ａは、手摺ベルト５の表面色とは色が異なり（例えば黄色）、そのマーク形状も図示に例示した菱形に限らず大き目の矢印、丸印、３角印などでも何ら不都合はない。【００１５】  加えて、表示部６Ｂは貼付け式であるために注意喚起、広告利用の変更（選択）が容易に行うことができる。このように構成することにより、安全上重要な方向表示マーク６Ａは手摺ベルト５に設けられて安全機能を発揮し、加えて貼付け、取外しが容易な表示部６Ｂを設けることにより注意喚起として、あるいは広告媒体として交換容易に適用できる利点がある。【００１６】  ここで、上記一例のほかの構成としては、図５に示すように方向表示マーク６Ａ担当部である方向表示マーク体６ＡＡを、手摺ベルト５の製造工程において加熱形成する際に、この手摺ベルト５の表面とは異色で、かつ未加硫状態で製作されて、手摺ベルト５の移動方向を表示するための一定の板厚ｔ（図５）を有して板厚的に耐摩滅（恒久的で長寿命）性のあるものとして手摺ベルト５の加硫ゴム表面に被せる方法によって手摺ベルト５および方向表示マーク体６ＡＡを高温加熱条件下で加硫接合によって一体化させる構成でもよい。【００１７】  以上説明したように、本実施形態によれば、手摺ベルト５の移動方向を見易く表示し、もってエスカレーターへの転倒事故や逆乗り等を防止することができ、かつ貼付け、取外しが容易な表���部により表示内容が選択容易となる。【００１８】  なお、上記実施の形態は、一般のエスカレーターを一例に説明したが、隣接踏段同士に段差を有しない動く歩道と通称されるエスカレーターにもそのまま適用することができる。
【図面の簡単な説明】
【００１９】
【図１】本発明によるエスカレーターの一実施の形態を示す全体側面図。
【図２】本発明の図１のＸ−Ｘ線に沿う正面図。
【図３】本発明の図２のＹ−Ｙ線に沿う断面図。
【図４】本発明の斜視断面図。
【図５】本発明の他の実施例の断面図。
【符号の説明】
【００２０】１…エスカレーター，４…踏段，５…手摺ベルト，５Ａ…平坦部  ６Ａ…方向表示マーク，６ＡＡ…方向表示マーク体，６Ｂ…表示部，１１…欄干，１１ａ…デッキカバー，１１ｂ…内側板
【図１】
2009078915.tif 000003
【図２】
2009078915.tif 000004
【図３】
2009078915.tif 000005
【図４】
2009078915.tif 000006
【図５】
2009078915.tif 000007